(57)【要約】  波長多重信号を用いた光通信システムにおいて、通信環境に与える影響を低減しながら、光信号対雑音比を測定する。通信装置は、１以上の光信号を受け付け、それらを合波した光信号である波長多重信号を生成する光合波部と、上記光合波部において生成された上記波長多重信号から第１の波長の信号を選択して第２の波長の信号に変換した光信号である変換信号を生成する第１の変換信号生成部と、生成された上記波長多重信号と、上記変換信号とを受け付け、それらに含まれる信号の波長ごとに、上記波長多重信号に含まれる信号と、上記変換信号との少なくともいずれかを選択して出力する第１の信号選択部と、を備える。
2017002322.tif 000002
【特許請求の範囲】
【請求項１】
データを搬送可能な１以上の光信号を受け付け、それらを合波した光信号である波長多重信号を生成する光合波手段と、
前記光合波手段において生成された前記波長多重信号から第１の波長の信号を選択して第２の波長の信号に変換した光信号である変換信号を生成する第１の変換信号生成手段と、
生成された前記波長多重信号と、前記変換信号とを受け付け、それらに含まれる信号の波長ごとに、前記波長多重信号に含まれる信号と、前記変換信号との少なくともいずれかを選択して出力する第１の信号選択手段と、を備える
通信装置。
【請求項２】
前記第１の信号選択手段は、前記波長多重信号のうちの前記第１の波長の信号を除く信号と、前記変換信号とを選択して出力する
請求項１に記載の通信装置。
【請求項３】
前記第１の変換信号生成手段は、前記第１の波長の信号を、前記波長多重信号の波長帯に含まれない波長である前記第２の波長の信号に変換することにより、前記変換信号を生成する
請求項１又は請求項２に記載の通信装置。
【請求項４】
ある波長の光信号を生成可能な波長可変光源と、
前記第１の信号選択手段において選択された前記波長多重信号と、前記波長可変光源から出力される光信号とを合波可能な光カプラと、を更に備え、
前記波長多重信号に、搬送するデータが変調されていない特定の波長が含まれる場合、
前記波長可変光源は、当該特定の波長と同じ波長の信号を生成し、
前記第１の信号選択手段は、前記第１の信号選択手段において選択された前記波長多重信号と、前記波長可変光源が生成した特定の波長の信号とを選択して出力する、
請求項１乃至請求項３のいずれか一項に記載の通信装置。
【請求項５】
１以上の光信号が合波された波長多重信号を光通信路から受け付け、当該波長多重信号のうち、第３の波長の信号に関する信号レベルと、ノイズレベルとの少なくとも一方を測定可能な測定手段と、
前記波長多重信号から第４の波長の信号を選択して前記第３の波長に変換した光信号である復元信号を生成する第２の変換信号生成手段と、
前記波長多重信号と、前記復元信号とを受け付け、それらに含まれる光信号の波長ごとに、前記波長多重信号に含まれる光信号と、前記復元信号との少なくともいずれかを選択する第２の信号選択手段と、
前記第２の信号選択手段が選択した光信号を、当該光信号に含まれる信号の波長に基づいて分波する光分波手段と、を備える
通信装置。
【請求項６】
前記第２の信号選択手段は、前記波長多重信号のうちの前記第４の波長の信号を除く信号と、前記復元とを選択する
請求項５に記載の通信装置。
【請求項７】
前記測定手段は、
前記第３の波長に信号が存在するタイミングにおいて、当該第３の波長の信号に関するノイズレベルを測定し、
前記第３の波長に信号が存在しないタイミングにおいて、当該第３の波長に関する信号レベルを測定する
請求項５又は請求項６に記載の通信装置。
【請求項８】
請求項１乃至請求項４のいずれか一項に記載の通信装置である第１の通信装置と、
請求項５乃至請求項７のいずれか一項に記載の通信装置である第２の通信装置と、
前記第１及び第２の通信装置と通信可能に接続され、
前記第１の波長と前記第２の波長との少なくとも一方、並びに、前記波長多重信号に含まれる信号と前記変換信号とから選択される信号を前記第１の通信装置に通知し、
前記第１の波長と等しい前記第３の波長と、前記第２の波長と等しい前記第４の波長との少なくとも一方、並びに、前記光通信路から受信した前記波長多重信号に含まれる信号と前記復元信号とから選択される信号を前記第２の通信装置に通知し、
前記第３の波長に信号が存在するタイミングにおいて、前記第２の通信装置における前記測定手段に前記第３の波長に関するノイズレベルの測定を指示し、
前記第３の波長に信号が存在しないタイミングにおいて、前記第２の通信装置における前記測定手段に前記第３の波長に関する信号レベルの測定を指示する、
制御手段と、を備える
通信システム。
【請求項９】
１以上の光信号を受け付け、それらを合波した光信号である波長多重信号を生成し、
前記生成された前記波長多重信号から第１の波長の信号を選択して第２の波長の信号に変換した光信号である変換信号を生成し、
生成された前記波長多重信号と、前記変換信号と含まれる信号の波長ごとに、前記波長多重信号に含まれる信号と、前記変換信号との少なくともいずれかを選択して出力する
通信方法。
【請求項１０】
１以上の光信号が合波された波長多重信号を光通信路から受け付け、当該波長多重信号のうち、第３の波長の信号に関する信号レベルと、ノイズレベルとの少なくとも一方を測定し、
前記波長多重信号から第４の波長の信号を選択して前記第３の波長に変換した光信号である復元信号を生成し、
前記波長多重信号と、前記復元信号とに含まれる光信号の波長ごとに、前記波長多重信号に含まれる光信号と、前記復元信号との少なくともいずれかを選択するとともに、当該選択した光信号を、当該光信号に含まれる信号の波長に基づいて分波する
通信方法。
【発明の詳細な説明】
【技術分野】
【０００１】
本発明は、波長多重信号を送受信可能な光通信ネットワークにおいて、光信号対雑音比を測定する技術に関する。
【背景技術】
【０００２】
近年、通信データの大容量化及び通信速度の高速化に関する要望に応じて、波長分割多重（Ｗａｖｅｌｅｎｇｔｈ  Ｄｉｖｉｓｉｏｎ  Ｍｕｌｔｉｐｌｅｘ）方式を採用した光通信システムが普及している。以下、係る方式を採用した通信システムを「波長多重システム」、係る方式により送受信される光信号を「波長多重信号」と称する場合がある。【０００３】
係る光通信システムにおいて、通信路の伝送路特性指標のひとつである光信号対雑音比（ＯＳＮＲ：Ｏｐｔｉｃａｌ  Ｓｉｇｎａｌ  ｔｏ  Ｎｏｉｓｅ  Ｒａｔｉｏ）を運用中に測定することは、通信品質の維持及び管理の側面から重要である。【０００４】
このような光通信システムに関して、例えば、以下のような技術が開示されている。特許文献１は、光伝送ネットワークにおいて設定される新規ルートの伝送品質を検証する技術を開示する。特許文献１に開示された技術は、新規ルートを用いて試験信号を送受信した結果に基づいて、当該新規ルートの伝送特性を表す伝送パラメータを抽出するとともに、当該伝送パラメータに基づいて伝送品質を検証する。【０００５】
特許文献２は、光伝送ネットワークにおいて、ＯＳＮＲの測定対象である被測定チャネルの光信号のビットレートを下げることで、当該チャネルのＯＳＮＲを測定する技術を開示する。係る技術は、被測定チャネルの光信号のビットレートを下げることで光信号のスペクトル幅を狭め、隣接チャネルの影響を低減した状態で被測定チャネルのノイズ成分を測定する。【０００６】
特許文献３は、光伝送ネットワークを構成する光中継器において各チャネルの信号強度を測定するパワーモニターを用いずに、ＯＳＮＲを測定（推定）する技術を開示する。特許文献３に開示された技術は、光中継器における総光パワーから、当該光中継器における各チャネルのゲインチルトを算出し、当該ゲインチルトを用いて光中継器における各チャネルのＯＳＮＲを求める。
【先行技術文献】
【特許文献】
【０００７】
【特許文献１】特開２００４−１７２７８３号公報
【特許文献２】特開２００８−０８５８８３号公報
【特許文献３】特開２００８−２１８７０５号公報
【発明の概要】
【発明が解決しようとする課題】
【０００８】
ＯＳＮＲを測定する場合、例えば、トラフィックデータが重畳された光変調信号（光信号）の信号レベルとノイズレベルとを測定する必要がある。しかしながら、光変調信号が高密度に多重化された波長多重システムでは、例えば、図２に示すように、隣接する信号スペクトルの裾が重なることがある。よって、ノイズレベルを正確に観測することが困難である、という問題が生じる。【０００９】
これに対して、特許文献１に開示された技術を実際の運用状態における光通信システムに適用した場合、試験信号を流すために通信信号を停波する必要がある。即ち、この場合、継続的なトラフィック断（トラフィックの不通）が発生する可能性がある。また、特許文献２に開示された技術は、変調信号のビットレートを一時的に下げることから、トラフィックの容量（送受信可能なデータ量）が低下する。これにより、ＯＳＮＲの測定中に継続的なトラフィック断が発生する可能性がある。更に、今日用いられている超高密度波長多重システムでは、信号間隔が極めて狭くなっている（例えば３３ＧＨｚ）ことから、変調信号のビットレートを下げてもノイズレベルを観測することは困難な場合がある。また、特許文献３に開示された技術は、各光中継器のゲインチルトが等しいことを前提としてＯＳＮＲを推定する技術であり、上記問題を直接的に解決可能な技術ではない。また、特許文献３に開示された技術は、個々の中継器の特性（例えば、製造ロットごとの個体差や、経年劣化等）を十分に考慮していないことから、係る技術のみでは、運用中の光伝送路のＯＳＮＲを精度よく算出することが困難である。即ち、これらの関連技術を用いた場合、運用中の光通信システムにおいてＯＳＮＲを測定する際、通信の途絶や、通信速度（通信帯域）の低減などの影響が発生する場合がある。【００１０】
本発明は、上記のような事情を鑑みてなされたものである。即ち、本発明は、波長多重信号を送受信可能な光通信システムにおいて、通信環境に与える影響を低減しながら、光信号対雑音比を測定可能な通信装置等を提供することを、主たる目的の一つとする。
【課題を解決するための手段】
【００１１】
上記の目的を達成すべく、本発明の一態様に係る通信装置は、１以上の光信号を受け付け、それらを合波した光信号である波長多重信号を生成する光合波手段と、上記光合波手段において生成された上記波長多重信号から第１の波長の信号を選択して第２の波長の信号に変換した光信号である変換信号を生成する第１の変換信号生成手段と、生成された上記波長多重信号と、上記変換信号とを受け付け、それらに含まれる信号の波長ごとに、上記波長多重信号に含まれる信号と、上記変換信号との少なくともいずれかを選択して出力する第１の信号選択手段と、を備える。【００１２】
また、本発明の他の一態様に係る通信装置は、１以上の光信号が合波された波長多重信号を光通信路から受け付け、当該波長多重信号のうち、第３の波長の信号に関する信号レベルと、ノイズレベルとの少なくとも一方を測定可能な測定手段と、上記波長多重信号から第４の波長の信号を選択して上記第３の波長に変換した光信号である復元信号を生成する第２の変換信号生成手段と、上記波長多重信号と、上記変換信号とを受け付け、それらに含まれる光信号の波長ごとに、上記波長多重信号に含まれる光信号と、復元信号との少なくともいずれかを選択する第２の信号選択手段と、上記第２の信号選択手段が選択した光信号を、当該光信号に含まれる信号の波長に基づいて分波する光分波手段と、を備える。【００１３】
また、本発明の一態様に係る通信方法は、１以上の光信号を受け付け、それらを合波した光信号である波長多重信号を生成し、上記生成された上記波長多重信号から第１の波長の信号を選択して第２の波長の信号に変換した光信号である変換信号を生成し、生成された上記波長多重信号と、上記変換信号と含まれる信号の波長ごとに、上記波長多重信号に含まれる信号と、上記変換信号との少なくともいずれかを選択して出力する。【００１４】
また、本発明の他の一態様に係る通信方法は、１以上の光信号が合波された波長多重信号を光通信路から受け付け、当該波長多重信号のうち、第３の波長の信号に関する信号レベルと、ノイズレベルとの少なくとも一方を測定し、上記波長多重信号から第４の波長の信号を選択して上記第３の波長に変換した光信号である復元信号を生成し、上記波長多重信号と、上記変換信号とに含まれる光信号の波長ごとに、上記波長多重信号に含まれる光信号と、復元信号との少なくともいずれかを選択するとともに、当該選択した光信号を、当該光信号に含まれる信号の波長に基づいて分波する。【００１５】
また、同目的は、上記構成を有する通信装置、あるいは、通信方法を用いて実現された通信システムによっても達成される。
【発明の効果】
【００１６】
本発明によれば、波長多重信号を送受信可能な光通信システムにおいて、通信環境に与える影響を低減しながら、光信号対雑音比を測定可能である。
【図面の簡単な説明】
【００１７】
【図１】図１は、本発明の第１の実施形態において、通信システムを構成する構成要素の機能的な構成を例示するブロック図である。
【図２】図２は、本発明の第１の実施形態において、光通信回線（伝送路）を介して送受信される波長多重信号を模式的に表す説明図である。
【図３】図３は、本発明の各実施形態に関連して、ＯＳＮＲの測定対象である波長の信号を遮断（消光）した場合のノイズレベルを模式的に表す説明図である。
【図４】図４は、本発明の第１の実施形態に関連して、ＯＳＮＲの測定対象である波長の信号を、迂回用波長の信号に変換した場合の波長多重信号を模式的に表す説明図である。
【図５】図５は、本発明の第１の実施形態に関連して、迂回用波長の信号を、ＯＳＮＲの測定対象である波長の信号に変換した場合の波長多重信号を模式的に表す説明図である。
【図６】図６は、本発明の第２の実施形態に関連して、特定の波長の信号が実装されていない場合の波長多重信号を模式的に表す説明図である。
【図７】図７は、本発明の第２の実施形態において、通信システムを構成する構成要素の機能的な構成を例示するブロック図である。
【図８】図８は、本発明の第２の実施形態において、ＯＳＮＲの測定対象の波長に信号を挿入した場合の波長多重信号を模式的に表す説明図である。
【図９】図８は、本発明の第２の実施形態の変形例において、ＯＳＮＲの測定対象の波長の信号として、他の波長の信号を一時的に挿入した場合の波長多重信号を模式的に表す説明図である。
【図１０】図１０は、本発明の第３の実施形態に係る通信装置の機能的な構成を例示するブロック図である。
【図１１】図１１は、本発明の第４の実施形態に係る通信装置の機能的な構成を例示するブロック図である。
【図１２】図１２は、本発明の第４の実施形態の変形例に係る通信装置の機能的な構成を例示するブロック図である。
【図１３】図１３は、本発明の第５の実施形態に係る通信装置の機能的な構成を例示するブロック図である。
【図１４】図１４は、本発明の各実施形態における制御端末あるいは制御部を実現可能なハードウェア構成を例示する説明図である。
【発明を実施するための形態】
【００１８】
まず、本発明の概要について説明する。上記したように、光通信システムにおいて、ＯＳＮＲを測定することは、伝送路における通信品質の維持、あるいは伝送路において発生しうる問題の早期発見の観点から重要である。
【００１９】
光通信システムにおいてＯＳＮＲを測定する場合には、測定対象の変調信号（光信号）の波長におけるノイズレベルと、信号レベルとを測定することが求められる。ＯＳＮＲを測定する単純な方法として、例えば、測定対象である変調信号を一旦消光（ＯＦＦ）した状態（例えば、図３に例示する状態）で測定したノイズレベルと、変調信号を発光（ＯＮ）した状態で測定した信号レベルと、を用いてＯＳＮＲを算出する方法がある。しかしながら、この方法を用いた場合、波長多重システムが光信号をＯＦＦしてからノイズレベルを測定し、再度光信号をＯＮ状態に復帰させるまでの間、継続的なトラフィック断が発生する。
【００２０】
これに対して、本発明に関して以下の各実施形態を用いて説明する技術は、ＯＳＮＲの測定対象である変調信号に重畳するトラフィックデータを迂回して転送可能な別の変調信号（迂回信号）を用意する。即ち、トラフィックデータが迂回信号を用いて伝送されることから、ＯＳＮＲの測定期間中であっても、継続的なトラフィック断は発生しない。よって、以下の各実施形態を用いて説明する、本発明に関する技術によれば、光通信システムにおけるトラフィックの切断（不通）時間を低減しながら、全波長帯域のＯＳＮＲを効率よく測定可能である。なお、以下の各実施形態に記載されている構成は例示であり、本発明の技術範囲はそれらには限定されない。
【００２１】
＜第１の実施形態＞
［構成］
以下、本発明の第１の実施形態について図面を参照して説明する。図１は、本発明の第１の実施形態に係る通信システムを構成する通信システム（送信側通信システム１０１、受信側通信システム１０２）の機能的な構成を例示するブロック図である。
【００２２】
以下において、光送受信機１０３ａと、光送受信機１０３ｂとは、同様の構成あるいは機能を備えてもよい。光送受信機１０３ａと、光送受信機１０３ｂとをまとめて、単に「光送受信機１０３」と称する場合がある。同様に、迂回用光送受信機１０４ａと迂回用光送受信機１０４ｂとは、同様の構成あるいは機能を備えてもよい。迂回用光送受信機１０４ａと迂回用光送受信機１０４ｂとをまとめて、単に「迂回用光送受信機１０４」と称する場合がある。同様に、光カプラ１０７ａと光カプラ１０７ｂとは、同様の構成あるいは機能を備えてもよい。光カプラ１０７ａと光カプラ１０７ｂとをまとめて、単に「光カプラ１０７」と称する場合がある。同様に、波長選択型スイッチ１０８ａと波長選択型スイッチ１０８ｂとは、同様の構成あるいは機能を備えてもよい。波長選択型スイッチ１０８ａと波長選択型スイッチ１０８ｂとをまとめて、単に「波長選択型スイッチ１０８」と称する場合がある。
【００２３】
また、図１における光合波・分波装置（以下「光合分波装置」と称する）１０５及び１１１は、それぞれ同様の構成を備えることで、送信装置又は受信装置として機能してよい。図１においては、説明の便宜上、送信装置として機能する光合分波装置１０５の構成が図示されている。同様に、図１においては、受信装置として機能する光合分波装置１１１の構成が図示されている。
【００２４】
送信側通信システム１０１には、１以上の光送受信機１０３ａが接続される。送信側通信システム１０１に接続される各光送受信機１０３ａは、後述する光合分波装置１０５と通信可能に接続される。送信側通信システム１０１と、光合分波装置１０５との間は、例えば、光ファイバ等の光回路デバイスにより通信可能に接続されてもよい。
【００２５】
係る光送受信機１０３ａは、例えば、トラフィックデータ（例えば、トリビュタリ側からの通信データ）を受け付け、当該トラフィックデータが重畳された、光伝送路において伝送可能な光信号を生成する。光送受信機１０３ａは、生成した光信号を光合分波装置１０５（後述）に出力する。
【００２６】
各光送受信機１０３ａは、例えば、電気信号により搬送されたトラフィックデータを受け付けてもよく、光信号により搬送されたトラフィックデータを受け付けてもよい。具体的には、係る光送受信機１０３ａは、例えば、２つのネットワーク（例えば、陸上に敷設された通信ネットワークと、海中に埋設する通信ネットワーク）の間のインタフェースとして機能することができる。この場合、各光送受信機１０３ａは、一方の通信ネットワーク（例えば、陸上の通信ネットワーク）から受け付けたトラフィックデータを、他方の通信ネットワーク（例えば、海中の通信ネットワーク）において送受信可能な形式に変換（例えばフレーム化）してもよい。
【００２７】
光送受信機１０３ａは、例えば、設定あるいは制御信号等に基づいて、生成する光信号の波長を適宜変更可能である。これより、送信側通信システム１０１に接続される各光送受信機１０３ａは、異なる波長の光信号を生成可能である。
【００２８】
なお、光送受信機１０３ａ（光送受信機１０３ｂ）は、後述するように、光合分波装置１０５から光信号を受け付けた場合には、係るデータを適切な形式に変換して、トリビュタリ側に出力してもよい。この場合、光送受信機１０３ａは、設定または制御信号等に基づいて選択された特定の波長の光信号を、光合分波装置１０５から受け付けてもよい。
【００２９】
次に送信側通信システム１０１における光合分波装置１０５及び迂回用光送受信機１０４ａについて説明する。図１に例示するように、光合分波装置１０５は、光合波器１０６と、光カプラ１０７ａと、波長選択型スイッチ１０８ａと、を備える。光合分波装置１０５を構成するこれらの構成要素の間は、光ファイバ等の光回路デバイスを用いて接続されている。
【００３０】
光合波器１０６は、１以上の光信号を受け付け、それらの光信号を合波した光信号を出力する。具体的には、光合波器１０６は、例えば、１以上の光送受信機１０３ａのそれぞれから異なる波長の光信号を受け付け、波長多重化された主信号（波長多重信号）を生成する。光合波器１０６は、生成した波長多重信号を、後述する光カプラ１０７ａ（光カプラＡ）に出力する。係る、光合波器１０６は、例えば、微小光学（マイクロオプティクス）技術を用いたプリズム、回折格子、薄膜フィルタ、あるいは、ＡＷＧ（アレイ導波路：ａｒｒａｙｅｄ  ｗａｖｅｇｕｉｄｅ  ｇｒａｔｉｎｇ）等を用いて実現可能である。
【００３１】
光カプラ１０７ａは、入力された光信号（波長多重信号）を２以上の伝送路に分岐して出力する。具体的には、光カプラ１０７ａは、光合波器１０６から受け付けた波長多重信号を、後述する波長選択型スイッチ１０８ａと、迂回用光送受信機１０４ａとに分岐して出力する。係る光カプラ１０７ａは、例えば、光ファイバを加工した溶融延伸型カプラであってもよく、回路基盤上に光導波路を形成した導波路型カプラであってもよい。また係る光カプラ１０７ａは、例えば、微小なハーフミラーを用いて実現されてもよい。
【００３２】
迂回用光送受信機１０４ａは、光合分波装置１０５に接続され、光合分波装置１０５の受け付けた波長多重信号のうち特定の信号の波長を変換し、光合分波装置１０５に対して折り返して出力する。具体的には、迂回用光送受信機１０４ａは、設定又は制御信号等に基づいて、波長多重信号のうち特定の信号の波長の信号を受信する。また、迂回用光送受信機１０４ａは、設定又は制御信号等に基づいて選択された波長の光信号を光合分波装置１０５に対して出力する。また、迂回用光送受信機１０４ａは、光合分波装置１０５から受け付けた光信号を変換して、トリビュタリ側に出力可能である。
【００３３】
迂回用光送受信機１０４ａのライン側の受信ポートＲｘ（光合分波装置１０５に接続されているポート）には、光合分波装置１０５の光カプラ１０７ａによって分岐された波長多重信号が入力される。迂回用光送受信機１０４ａは、局所光を発光可能な発光部を具備しており、係る局所光と波長が同じ特定の光信号を受信することが可能である。係る局所光の波長は可変であり、迂回用光送受信機１０４ａは、任意の波長の光信号を受信することができる。これにより、迂回用光送受信機１０４ａは、後述する制御端末１１４からの制御信号に応じて、波長多重信号のうち、ＯＳＮＲの測定対象である波長（以下「測定対象波長」と称する場合がある）の信号を選択して受信することができる。例えば、波長多重信号がｎ個（ｎは１以上の自然数）の波長（λ１からλｎ）の信号を含む場合、迂回用光送受信機１０４ａは、係る波長多重信号のうち、測定対象波長（λｋとする）の信号を受信する。係る測定対象波長λｋは、λ１からλｎのｎ個の波長のうちの任意の波長であってよい。なお、上記発光部は、例えば、周知のコヒーレント受信機が備える局所光の発光部と同様としてよい。
【００３４】
迂回用光送受信機１０４ａのトリビュタリ側の送信ポートＴｘと受信ポートＲｘとは、折り返し接続されている。具体的には、迂回用光送受信機１０４ａは、受信した測定対象波長の光信号に基づいて生成した出力信号をトリビュタリ側の送信ポートＴｘに出力する。この際、迂回用光送受信機１０４ａは、必要に応じて、測定対象波長の光信号を適切な形式に変換してもよい。
【００３５】
トリビュタリ側の送信ポートＴｘは、トリビュタリ側の受信ポートＲｘに接続されていることから、トリビュタリ側の送信ポートＴｘに出力された出力信号は、迂回用光送受信機１０４ａにそのまま入力される。迂回用光送受信機１０４ａは、トリビュタリ側の受信ポートＲｘに入力された信号を、波長選択型スイッチ１０８ａに出力する。なお、迂回用光送受信機１０４ａは、トリビュタリ側の受信ポートＲｘに入力された信号を適切な形式に変換してから、波長選択型スイッチ１０８ａに出力してもよい。この際、迂回用光送受信機１０４ａは、設定又は制御端末１１４からの制御信号に基づいて、出力する光信号の波長（以下「迂回用波長」と称する場合がある）を選択する。そして、迂回用光送受信機１０４ａは、係る光信号を光合分波装置１０５に出力する。
【００３６】
上記機能により、迂回用光送受信機１０４ａは、光合分波装置１０５から受信した信号の波長を変換して、光合分波装置１０５に出力することが可能である。即ち、迂回用光送受信機１０４ａは、光合分波装置１０５から測定対象波長λｋの信号を受信し、係る光信号の波長を迂回用波長（λｄとする）に変換して、光合分波装置１０５に出力することができる。以下、迂回用光送受信機１０４ａから光合分波装置１０５に出力された、迂回用波長λｄの光信号を、迂回用信号と称する場合がある。
【００３７】
迂回用波長λｄは、上記主信号の波長帯域には含まれない波長である。主信号とは異なる帯域に迂回用波長λｄが設定された場合、例えば、迂回用信号と主信号とが干渉することがない。具体的には、迂回用波長λｄは、例えば、主信号の帯域とは異なる帯域が割り当てられた伝送路監視用の帯域であってもよい。一般的に、係る監視用の帯域は使用頻度が低いことから、迂回用波長として使用可能である。迂回用波長λｄは、伝送路監視用の帯域に限らず、上記主信号の帯域とは異なる他の任意の波長帯域に含まれてよい。
【００３８】
なお、迂回用光送受信機１０４ａ及び光送受信機１０３ａは、設定または制御信号等に基づいて、受信する光信号の波長と、出力する光信号の波長とを、それぞれ設定可能であることから、同様の構成を備えた装置として実現されてもよい。この場合、例えば、ある光送受信機１０３ａのトリビュタリ側の送信ポートＴｘを折り返して受信ポートＲｘに接続することで、迂回用光送受信機１０４ａとして使用することが可能である。
【００３９】
波長選択型スイッチ１０８ａは、１以上の光信号を受け付け、受け付けた信号のうち出力する（透過させる）信号を波長ごとに選択可能である。図１に例示するように、本実施形態における波長選択型スイッチ１０８ａは、光カプラ１０７ａから出力された波長多重信号と、迂回用光送受信機１０４ａから出力された迂回用信号と、の２つの光信号を２つの入力ポートから受け付ける。
【００４０】
波長選択型スイッチ１０８ａは、２つの光信号のうち、いずれの信号を透過させるかを、例えば制御端末１１４からの制御信号又は設定に基づいて、光信号の波長ごとに選択可能である。具体的には、波長選択型スイッチ１０８ａは、例えば、光カプラ１０７ａから入力された波長多重信号のうち、測定対象波長λｋ以外の信号を透過させることができる。また、波長選択型スイッチ１０８ａは、例えば、迂回用光送受信機１０４ａから出力された迂回用信号（迂回用波長λｄ）を透過させることができる。即ち、波長選択型スイッチ１０８ａは、入力された波長多重信号のうち、測定対象波長λｋの信号を遮断し、迂回用波長λｄの信号を透過させることができる。係る波長選択型スイッチ１０８ａとしては、例えば、ＬＣＯＳ（Ｌｉｑｕｉｄ  Ｃｒｙｓｔａｌ  Ｏｎ  Ｓｉｌｉｃｏｎ）デバイスを用いた、ＷＳＳ（Ｗａｖｅｌｅｎｇｔｈ  Ｓｅｌｅｃｔｉｖｅ  Ｓｗｉｔｃｈ）等が知られている。
【００４１】
図４は、波長選択型スイッチ１０８ａから伝送路（後述）に送出される波長多重信号を模式的に示した説明図である。図４に例示するように、上記のように構成された送信側通信システム１０１により、ＯＳＮＲの測定対象波長λｋの光信号に重畳されていたトラフィックデータは、迂回用波長λｄの光信号を用いて伝送される。結果として、測定対象波長λｋは、無信号状態となる。これより、後述する受信側の光合分波装置１１１は、測定対象波長λｋの伝送路におけるノイズレベルを測定可能である。
【００４２】
次に、本実施形態における光通信の伝送路について説明する。伝送路は、複数の伝送路ファイバ（光伝送ファイバ）１０９と、光増幅器１１０とからなる。例えば、海底ケーブルシステムを想定した場合、これらの伝送路の構成要素は海底に沈められる。よって、これらの構成要素について、実際の運用状態における経年劣化などを含む特性の変化を知ることは困難である。なお、光伝送ファイバ１０９と、光増幅器１１０とは、それぞれ周知の技術を用いて実現可能であることから、詳細な説明を省略する。
【００４３】
次に、受信側通信システム１０２について説明する。受信側通信システム１０２には、1以上の光送受信機１０３ｂが接続される。光送受信機１０３ｂは、上記光送受信機１０３ａと同様の構成及び機能を備えてもよい。光送受信機１０３ｂは、例えば、光合分波装置１１１（後述）から光信号を受け付ける（受信する）。より具体的には、光送受信機１０３ｂは、光合分波装置１１１における光分波器１１２により分波された特定の波長の光信号を受信する。光送受信機１０３ｂは、受信した光信号を、トリビュタリ側にトラフィックデータとして出力する。
【００４４】
次に、受信側通信システム１０２における、光合分波装置１１１及び迂回用光送受信機１０４ｂについて説明する。図１に例示するように、光合分波装置１１１は、光カプラ１０７ｂ（光カプラＢ、光カプラＣ）と、波長選択型スイッチ１０８ｂと、光分波器１１２と、波長選択型光強度検出器１１３とを備える。
【００４５】
光合分波装置１１１において、伝送路側の初段（一段目）の光カプラ１０７ｂ（光カプラＢ）により、伝送路を介して受信した波長多重信号が分岐される。分岐された光信号のうち、一方の信号は波長選択型光強度検出器１１３（後述）に送出される。分岐された光信号のうち、他方の信号は後段（２段目）の光カプラ１０７ｂ（光カプラＣ）に送出される。２段目の光カプラ１０７ｂ（光カプラＣ）は、光カプラＢから受け付けた波長多重信号を、迂回用光送受信機１０４ｂと、波長選択型スイッチ１０８ｂと向けて分岐する。係る光カプラ１０７ｂは、上記光カプラ１０７ａと同様の技術を用いて実現可能である。
【００４６】
波長選択型光強度検出器１１３は、特定の波長の光の強度（光強度）を検出（検知）する機能を有する。波長選択型光強度検出器１１３は、検知対象の波長に信号（トラフィックデータを搬送する変調信号）が存在する場合は信号レベルを検出する。波長選択型光強度検出器１１３は、検知対象の波長に信号が存在しない場合には、ノイズレベルを検出する。本実施形態においては、波長選択型光強度検出器１１３には、例えば、制御端末１１４からの制御信号に基づいて、光強度を検知する波長が設定される。
【００４７】
波長選択型光強度検出器１１３は、例えば、光可変フィルタと受光素子とを用いて構成されてもよい。この場合、例えば、光可変フィルタにおいて特定の波長が選択され（即ち特定の波長のみが透過され）、当該特定の波長の光強度が、受光素子（例えばフォトディテクタ（ＰＤ：Ｐｈｏｔｏ  Ｄｅｔｅｃｔｏｒ）等）を用いて検出される。
【００４８】
迂回用光送受信機１０４ｂは、上記した迂回用光送受信機１０４ａと同様、局所光を用いることにより、波長多重信号のうち特定の波長（局所光と同じ波長）の信号を受信する。より具体的には、迂回用光送受信機１０４ｂは、光カプラＣから受信した波長多重信号のうち、迂回用波長λｄの光信号（迂回用信号）を受信する。
【００４９】
迂回用光送受信機１０４ａと同様、迂回用光送受信機１０４ｂのトリビュタリ側の送信ポートＴｘと受信ポートＲｘとは、折り返し接続されている。迂回用光送受信機１０４ｂは、迂回用光送受信機１０４ａと同様、受信した光信号に基づいて生成した出力信号をトリビュタリ側の送信ポートＴｘに出力する。係る出力信号は、そのまま迂回用光送受信機１０４ｂのトリビュタリ側の受信ポートＲｘに入力される。迂回用光送受信機１０４ｂは、トリビュタリ側の受信ポートＲｘに入力された信号に基づいて光信号を生成する。この際、設定又は制御端末１１４からの制御信号に基づいて、迂回用光送受信機１０４ｂから出力される光信号の波長が選択される。この場合、係る波長としてλｋが設定される。上記機能により、迂回用光送受信機１０４ｂは、光合分波装置１１１から迂回用波長λｄの信号を受信し、係る光信号の波長を測定対象波長λｋに変換して、光合分波装置１０５に出力することができる。即ち、これにより、迂回用波長λｄを用いて伝送された迂回用信号が、元の測定対象波長λｋの信号に戻される（復元される）。
【００５０】
波長選択型スイッチ１０８ｂは、上記説明した波長選択型スイッチ１０８ａと同様、１以上の光信号を受け付ける。波長選択型スイッチ１０８ｂは、受け付けた信号のうち透過させる信号を波長ごとに選択可能である。具体的には、本実施形態における波長選択型スイッチ１０８ｂは、図１に例示するように、光カプラ１０７ｂ（光カプラＣ）から出力された波長多重信号と、迂回用光送受信機１０４ｂから出力された光信号（測定対象波長λｋの信号）と、の２つの光信号を２つの入力ポートから受け付ける。波長選択型スイッチ１０８ｂは、２つの光信号のうち、いずれの信号を透過させるかを、例えば制御端末１１４からの制御信号又は設定に基づいて光信号の波長ごとに選択可能である。
【００５１】
波長選択型スイッチ１０８ｂは、例えば、光カプラＣから入力された波長多重信号のうち、迂回用波長λｄ以外の信号を透過させる。また、波長選択型スイッチ１０８ａは、例えば、迂回用光送受信機１０４ｂから出力された光信号（測定対象波長λｋの信号）を透過させる。即ち、波長選択型スイッチ１０８ｂは、入力された波長多重信号のうち、迂回用波長λｄの信号を遮断し、測定対象波長λｋの信号を透過させる。これにより、波長選択型スイッチ１０８ｂから出力される波長多重信号は、上記光合波器１０６が光カプラＡに対して出力した波長多重信号と同様の信号となる。
【００５２】
光分波器１１２は、波長選択型スイッチ１０８ｂから出力された波長多重信号を入力として受け付ける。光分波器１１２は、受け付けた波長多重信号を波長ごとに分離し、分離した信号をそれぞれの光送受信機１０３ｂに出力する。例えば、波長多重信号にλ１からλｎまでのｎ個の波長の信号が含まれる場合、光分波器１１２は、波長多重信号をｎ個の個別の信号に分離し、それぞれの信号を光送受信機１０３ｂに出力してもよい。係る光分波器１１２は、例えば、誘電体多層膜を用いた干渉膜フィルタや、回折格子等を用いて実現されてもよい。
【００５３】
図５は、波長選択型スイッチ１０８ｂから出力される波長多重信号を模式的に示す説明図である。図５に例示するように、迂回用波長λｄの光信号を用いて伝送されたトラフィックデータは、元の波長（測定対象波長λｋ）の光信号に変換（復元）される。これより、波長選択型スイッチ１０８ｂから出力される波長多重信号は、光合波器１０６から出力される波長多重信号と同様の信号に復元される。係る波長多重信号が、光分波器１１２により波長ごとに分波され、各光送受信機１０３ｂに出力される。ＯＳＮＲ測定のために迂回用波長λｄに変換された信号は、元の波長（測定対象波長λｋ）に再度変換されることから、各光送受信機（１０３ａ、１０３ｂ）は、係る波長変換を考慮することなく通信を実行可能である。
【００５４】
制御端末１１４は、送信側通信システム１０１における迂回用光送受信機１０４ａ、波長選択型スイッチ１０８ａと、制御線により接続される。また、制御端末１１４は、受信側通信システム１０２における迂回用光送受信機１０４ｂ、波長選択型スイッチ１０８ｂ、波長選択型光強度検出器１１３と制御線により接続される。係る制御線は、制御用の通信回線である。係る制御線は、上記光信号の伝送路の一部を用いて実現されてもよく、上記伝送路とは別の通信回線を用いて実現されてもよい。より具体的には、係る制御線は、上記伝送路における任意のチャネルに設定されたオーダーワイヤ回線を用いて実現可能である。また、制御端末１１４が送出する制御信号は、例えば、伝送路においてトラフィックデータ（ユーザデータ）を搬送するためのフレームに付加されるオーバーヘッド領域に含まれてもよい。
【００５５】
制御端末１１４は、迂回用光送受信機（１０４ａ、１０４ｂ）、波長選択型スイッチ（１０８ａ、１０８ｂ）、及び、波長選択型光強度検出器１１３を、係る制御線を介して制御可能である。制御端末１１４は、上記各構成要素に対して制御信号を送信してもよく、上記各構成要素の設定に用いられる設定情報を送信してもよい。
【００５６】
具体的には、制御端末１１４は、迂回用光送受信機１０４ａに対して、局所光の波長を設定する。局所光の波長は、例えば、測定対象波長λｋに設定される。また、制御端末１１４は、迂回用光送受信機１０４ａから出力される光信号の波長を設定する。迂回用光送受信機１０４ａから出力される光信号の波長は、例えば、迂回用波長λｄに設定される。
【００５７】
同様に、制御端末１１４は、迂回用光送受信機１０４ｂに対して、局所光の波長を設定する。局所光の波長は、例えば、迂回用波長λｄに設定される。また、制御端末１１４は、迂回用光送受信機１０４ｂから出力される光信号の波長を設定してもよい。迂回用光送受信機１０４ｂから出力される光信号の波長は、例えば、測定対象波長λｋに設定される。
【００５８】
制御端末１１４は、波長選択型スイッチ１０８ａが透過する信号の波長を設定する。波長選択型スイッチ１０８ａは、例えば、光カプラ１０７ａ（光カプラＡ）から受け付けた波長多重信号のうち、測定対象波長λｋ以外の波長の信号を透過するよう設定される。また、波長選択型スイッチ１０８ａは、例えば、迂回用光送受信機１０４ａから受け付けた迂回用波長λｄの信号を透過するよう設定される。
【００５９】
同様に、制御端末１１４は、波長選択型スイッチ１０８ｂが選択する波長を設定する。波長選択型スイッチ１０８ｂは、例えば、光カプラ１０７ｂ（光カプラＣ）から受け付ける波長多重信号のうち、迂回用波長λｄ以外の波長の信号を透過するよう設定される。また、波長選択型スイッチ１０８ｂは、迂回用光送受信機１０４ｂから受け付けた測定対象波長λｋの信号を透過するよう設定される。
【００６０】
制御端末１１４は、波長選択型光強度検出器１１３が検出する光信号の波長を設定する。係る光信号の波長は、例えば、ＯＳＮＲの測定対象である波長（測定対象波長λｋ）に設定される。
【００６１】
［動作］
次に、上記のように構成された通信システムの動作について説明する。
【００６２】
まず、制御端末１１４は、制御信号を送信することにより、送信側通信システム１０１における迂回用光送受信機１０４ａの受信波長をＯＳＮＲの測定対象波長（例えばλｋ）に設定する。また、制御端末１１４は、迂回用光送受信機１０４ａの送信波長を迂回用波長（λｄ）に設定する。
【００６３】
同様に、制御端末１１４は、制御信号を送信することにより、受信側通信システム１０２における迂回用光送受信機１０４ｂの受信波長を迂回用波長（λｄ）に設定する。また、制御端末１１４は、迂回用光送受信機１０４ｂの送信波長をＯＳＮＲの測定対象波長（λｋ）に設定する。
【００６４】
係る設定に従って、送信側の迂回用光送受信機１０４ａは、光カプラ１０７ａ（光カプラＡ）から出力された波長多重信号のうち、設定された受信波長（λｋ）と一致するＯＳＮＲの測定対象である信号だけを受信する。そして、迂回用光送受信機１０４ａは、係る信号を迂回用波長（λｄ）に変換し、係る迂回用信号を波長選択型スイッチ１０８ａに出力する。
【００６５】
また、受信側の迂回用光送受信機１０４ｂは、光カプラ１０７ｂ（光カプラＣ）からの波長多重信号のうち、迂回用波長（λｄ）に設定された信号だけを受信する。そして、迂回用光送受信機１０４ｂは、係る信号を、ＯＳＮＲ測定対象の波長（λｋ）に戻す（復元する）。
【００６６】
制御端末１１４は、制御信号を送信することにより、送信側の波長選択型スイッチ１０８ａが透過させる信号の波長を設定する。係る設定にしがたって、送信側の波長選択型スイッチ１０８ａは、光カプラ１０７ａ（光カプラＡ）から受け付けた波長多重信号のうち、ＯＳＮＲ測定対象の波長（λｋ）の信号だけを遮断する。また、波長選択型スイッチ１０８ａは、迂回用光送受信機１０４ａから受け付けた迂回用信号（迂回用波長λｄの信号）を透過させる。これにより、波長選択型スイッチ１０８ａは、ＯＳＮＲを測定する波長に信号が存在しない状態で、波長多重信号を伝送路に送出することができる（図４）。
【００６７】
また受信側通信システム１０２でも同様に、制御端末１１４が、波長選択型スイッチ１０８ｂが透過させる信号の波長を設定する。係る設定したがって、受信側の波長選択型スイッチ１０８ｂは、光カプラ１０７ｂ（光カプラＣ）から受信した波長多重信号のうち、迂回用波長（λｄ）の信号を遮断し、それ以外の信号を透過させる。また、係る設定に従って、波長選択型スイッチ１０８ｂは、迂回用光送受信機１０４ｂから出力された信号（測定対象波長λｋの信号）を透過させる。波長選択型スイッチ１０８ｂは、これらの透過させる信号を合波して後段の光分波器１１２に送出する（図５）。これにより、各光送受信機１０３ｂは、本来の（元の）信号を受信することができる。
【００６８】
また、上記したように、制御端末１１４は、波長選択型光強度検出器１１３が検出する波長を設定する。ＯＳＮＲを測定する場合、受信側の波長選択型光強度検出器１１３は、測定対象波長（λｋ）の信号が存在する時点の信号レベルを測定する。波長選択型光強度検出器１１３は、測定対象波長の信号が迂回される前に、予め係る信号の信号レベルを測定しておいてよい。また、波長選択型光強度検出器１１３は、測定対象波長λｋの信号が迂回用信号（λｄ）に変換されることにより、迂回用波長（λｋ）が無信号状態になった時点のノイズレベルを測定する。
【００６９】
以上をまとめると、まず、波長選択型光強度検出器１１３が、ＯＳＮＲの測定対象波長（λｋ）に信号が存在するタイミングにおいて、当該信号（測定対象波長λｋ）の信号レベルを測定する。この場合、制御端末１１４が、波長選択型光強度検出器１１３に対して、信号レベルの測定を指示してもよい。
【００７０】
そして、制御端末１１４が、迂回用光送受信機（１０４ａ、１０４ｂ）の送受信波長、及び、波長選択型スイッチ（１０８ａ、１０８ｂ）が透過させる信号の波長をそれぞれに対して設定する。
【００７１】
係る設定に基づいて、迂回用光送受信機１０４ａは、光カプラ１０７ａ（光カプラＡ）から出力された波長多重信号のうち、測定対象波長（λｋ）の信号を、迂回用波長（λｄ）に変換して出力する。波長選択型スイッチ１０８ａは、光カプラ１０７ａ（光カプラＡ）から出力された波長多重信号のうちの測定対象波長（λｋ）以外の信号と、迂回用光送受信機１０４ａから出力された迂回用信号（迂回用波長λｄ）とを合波して、伝送路に送出する。
【００７２】
受信側の波長選択型光強度検出器１１３は、光カプラ１０７ｂ（光カプラＢ）から受信した波長多重信号のうち、ＯＳＮＲの測定対象波長（λｋ）のノイズレベルを測定する。
【００７３】
受信側の迂回用光送受信機１０４ｂは、光カプラ１０７ｂ（光カプラＣ）から出力された波長多重信号のうち、迂回用波長λｄの信号を、測定対象波長λｋの信号に変換する。波長選択型スイッチ１０８ｂは、光カプラ１０７ｂ（光カプラＣ）から出力された波長多重信号のうちの迂回用波長λｄ以外の信号と、迂回用光送受信機１０４ｂから出力された測定対象波長λｋの信号とを合波して、光分波器１１２に出力する。
【００７４】
これらの動作を主信号に含まれる全ての波長多重信号帯域、例えば、チャンネル１（波長λ１）からチャンネルｎ（波長λｎ）まで順次行うことで、全帯域のＯＳＮＲを測定することができる。
【００７５】
波長選択型スイッチ（１０８ａ、１０８ｂ）の切り替え時間は、１チャンネル当り数十マイクロ秒程度である。よって、係る切り替えに伴い、トラフィックの継続的な断状態（不通状態）が発生することはない。これにより、本実施形態における通信システム（送信側通信システム１０１、受信側通信システム１０２）によれば、継続的なトラフィック断の状態を発生させることなく、実際の運用状態におけるＯＳＮＲを測定することが可能である。また、迂回用波長（λｄ）と、元の測定対象波長（λｋ）とが同程度の通信容量であれば、ＯＳＮＲの測定に伴う通信速度（通信帯域）の低減を防止あるいは緩和可能である。
【００７６】
以上より、本実施形態における通信システムよれば、波長多重信号を用いた光通信システムにおいて、通信環境に与える影響を低減しながら、光信号対雑音比を測定可能である。より具体的には、本実施形態における通信システムによれば、トラフィックの断時間を最小限に抑えつつ、運用中のケーブル修理や経年劣化の影響を受けた実環境における真のＯＳＮＲを測定可能である。
【００７７】
＜第２の実施形態＞
次に、本発明の第２の実施形態について説明する。なお、上記第１の実施形態と同様の構成については、同様の符号を付すことで重複する説明を省略する。
【００７８】
図７は、本実施形態における通信システムの機能的な構成を例示するブロック図である。本実施形態においては、送信側の光合分波装置７０１が上記第１の実施形態における光合分波装置と相違し、その他の構成は上記第１の実施形態と同様である。
【００７９】
例えば、システムの初期運用状態では、主信号の信号帯域のうち、一部の信号が実装されていない場合がある。具体例として、図６に示するように、主信号の信号帯域が波長λ１からλｎのｎ個の波長を含み、そのうちＯＳＮＲ測定対象の波長であるλｋの信号が実装されていない（即ち、トラフィックデータが変調されていない）場合を想定する。この場合、ＯＳＮＲを測定するためには、測定対象波長λｋに重畳された何らかの信号を送受信する必要がある。そこで、本実施形態においては、光合分波装置７０１が、測定対象波長λｋの信号を生成する。
【００８０】
図７に例示するように、送信側通信システム１０１における光合分波装置７０１は、第１の実施形態における光合分波装置１０５に対して、光カプラ７０３（光カプラＤ）と、波長可変光源７０２とを更に備える。光合分波装置７０１のその他の構成は、上記第１の実施形態における光合分波装置１０５と同様としてよい。
【００８１】
波長可変光源７０２は、設定あるいは制御信号等に基づいて、特定の波長の光を発光可能な光源である。波長可変光源７０２は、制御端末１１４に接続されており、制御端末１１４からの制御信号に基づいて、測定対象波長（λｄ）の光を発光する。
【００８２】
光カプラ７０３（光カプラＤ）は、波長選択型スイッチ１０８ａから出力される波長多重信号と、波長可変光源７０２から出力される出力光とを合波して、伝送路に送出する。係る光カプラ７０３は、光合波器として機能する。係る光カプラ７０３は、例えば、誘電体多層膜を用いた干渉膜フィルタや、回折格子等を用いて実現されてもよい。
【００８３】
上記のように構成された光合分波装置７０１は、ＯＳＮＲの測定対象波長（λｋ）に信号が存在しない場合には、信号レベルを測定するために波長可変光源７０２の出力を挿入する（図８）。
【００８４】
受信側における波長選択型光強度検出器１１３は、上記第１の実施形態と同様、ＯＳＮＲの測定対象波長（λｋ）が無信号状態のタイミングにおいて、ノイズレベルを測定する。また、波長選択型光強度検出器１１３は、波長可変光源７０２の出力がＯＳＮＲの測定対象波長（λｋ）の信号として伝送された場合の信号レベルを測定する。これにより、本実施形態における通信システムは、伝送路における測定対象波長（λｋ）のＯＳＮＲを測定可能である。なお、この際、測定対象波長（λｋ）にはもともとトラフィックデータを搬送する信号が存在しないことから、本実施形態における送信側通信システム１０１は、第１の実施形態において説明した、測定対象波長の信号を迂回して伝送する処理を実行せずともよい。
【００８５】
上記のように構成された本実施形態における通信システムによれば、測定対象の波長に信号が実装されていない場合であっても、実際の運用状態における伝送路のＯＳＮＲを測定することが可能である。なぜならば、光合分波装置７０１が、波長可変光源７０２を用いて、測定対象の波長の信号を生成可能だからである。また、トラフィックデータを搬送する信号が存在しないことから、本実施形態における通信システムは、継続的なトラフィック断を発生させることなく、実際の運用状態におけるＯＳＮＲを測定することが可能である。以上より、本実施形態における通信システムによれば、波長多重信号を用いた光通信システムにおいて、通信環境に与える影響を低減しながら、光信号対雑音比を測定可能である。
【００８６】
＜第２の実施形態の変形例＞
次に、上記第２の実施形態の変形例について説明する。本変形例における通信システム（送信側通信システム１０１、受信側通信システム１０２）は、上記第１の実施形態、第２の実施形態と同様の構成としてよい。
【００８７】
本変形例においても、上記第２の実施形態と同様に、主信号の信号帯域のうち、一部の信号が実装されていない場合を想定する。即ち、図６に例示するように、主信号の信号帯域が波長λ１からλｎのｎ個の波長を含み、そのうちＯＳＮＲ測定対象の波長であるλｋが実装されていない（信号が存在しない）場合を想定する。この場合、ＯＳＮＲを測定するためには、測定対象波長λｋに重畳された何らかの信号を送受信する必要がある。
【００８８】
そこで、本変形例においては、制御端末１１４が、送信側の迂回用光送受信機１０４ａの受信波長を特定の波長λｍ、迂回用光送受信機１０４ａの送信波長を測定対象波長λｋに設定する。この場合、迂回用光送受信機１０４ａは、波長λｍの信号をうけつけ、測定対象波長λｋの信号に変換して出力する。λｍは主信号の信号帯域（λ１からλｎ）に含まれ、トラフィックデータを搬送する信号が実装されている（信号が存在する）任意の波長である。
【００８９】
本変形例においては、制御端末１１４が、受信側の迂回用光送受信機１０４ｂの受信波長をλｋ、迂回用光送受信機１０４ｂの送信波長を波長λｍに設定する。この場合、迂回用光送受信機１０４ｂは、測定対象波長λｋの信号をうけつけ、波長λｍの信号に変換して出力する。
【００９０】
即ち、本変形例においては、図９に例示するように、既に実装されている波長λｍの信号を、信号が存在しないＯＳＮＲの測定対象波長λｋの信号に一時的に変換する。これにより、送信側の光合分波装置（１０５、７０１）は、ＯＳＮＲの測定対象波長λｋの信号を生成することが可能である。なお、受信側の迂回用光送受信機１０４ｂは、上記第１の実施形態と同様の処理を行うことにより、測定対象波長（λｋ）の信号を、元の波長λｍの信号に戻す（変換する）ことができる。
【００９１】
以上より、本変形例における通信システムは、測定対象の波長に信号が実装されていない場合であっても、実際の運用状態における伝送路のＯＳＮＲを測定することが可能である。なお、本変形例は、例えば、未実装の信号が少ない場合に適用可能である。
【００９２】
＜第３の実施形態＞
次に、本発明の第３の実施形態について説明する。図１０は、本発明の第３の実施形態に係る通信装置の機能的な構成を例示するブロック図である。
【００９３】
本発明における通信装置１０００は、図１０に例示するように光合波部（光合波手段）１００１と、第１の変換信号生成部（第１の変換信号生成手段）１００２と、第１の信号選択部（第１の信号選択手段）１００３と、を備える。本実施形態において、これらの構成要素の間は、任意の通信手段により通信可能に接続されている。係る通信手段は、特には、光通信デバイスを用いて構成された通信路であってもよい。以下、通信装置１０００の各構成要素について説明する。
【００９４】
光合波部１００１は、１以上の光信号を受け付け、それらを合波した光信号である波長多重信号を生成する。係る光合波部１００１は、例えば、上記第１及び第１の実施形態における光合波器１０６を用いて実現されてもよい。
【００９５】
第１の変換信号生成部１００２は、光合波部１００１において生成された波長多重信号を受け付ける。そして、第１の変換信号生成部１００２は、当該波長多重信号から第１の波長の信号を選択して第２の波長の信号に変換した光信号である変換信号を生成する。係る第１の変換信号生成部１００２は、例えば、上記第１又は第２の実施形態における光カプラ１０７ａと、迂回用光送受信機１０４ａとを用いて実現されてもよい。また、上記第１の波長の信号は、例えば、上記各実施形態における測定対象波長の信号であってもよい。また、上記第２の波長の信号は、例えば、上記各実施形態における迂回用波長の信号であってもよい。
【００９６】
第１の信号選択部１００３は、上記光合波部１００１により生成された波長多重信号と、第１の変換信号生成部１００２により生成された変換信号とを受け付ける。第１の信号選択部１００３は、信号の波長ごとに、波長多重信号に含まれる信号と、変換信号との少なくともいずれかを選択して出力する。第１の信号選択部１００３は、例えば、波長多重信号に含まれる信号のうち、第１の波長の信号以外の信号と、変換信号とを選択して、それらを光通信路に出力してもよい。係る第１の信号選択部１００３は、例えば、上記第１又は第２の実施形態における波長選択型スイッチ１０８ａを用いて実現されてもよい。
【００９７】
上記のように構成された本実施形態における通信装置１０００は、第１の波長の信号を、第２の波長の信号に変換して、光通信の伝送路に送出可能である。即ち、通信装置１０００は、例えば、ＯＳＮＲの測定対象波長の信号（第１の波長の信号）を、迂回用信号（第２の波長の信号）に変換して、光通信の伝送路に送出することができる。通信装置１０００は、測定対象波長の信号を迂回して伝送することにより、測定対象の波長の信号に関するトラフィック断が継続することを防止する。これにより、測定対象の波長の信号に関する継続的なトラフィック断を発生させることなく、測定対象の波長に関するＯＳＮＲが測定される。以上より、本実施形態における通信装置１０００によれば、波長多重信号を用いた光通信システムにおいて、通信環境に与える影響を低減しながら、光信号対雑音比を測定可能である。
【００９８】
なお、上記のように構成された本実施形態における通信装置１０００は、例えば、各第１及び第２の実施形態における、送信側通信システム１０１を実現することができる。
【００９９】
＜第４の実施形態＞
次に、本発明の第４の実施形態について説明する。図１１は、本発明の第４の実施形態に係る通信装置１１００の機能的な構成を例示するブロック図である。本実施形態における通信装置は、測定部（測定手段）１１０１と、第２の変換信号生成部（第２の変換信号生成手段）１１０２と、第２の信号選択部（第２の信号選択手段）１１０３と、光分波部（光分波手段）１１０４とを備える。本実施形態において、これらの構成要素の間は、任意の通信手段により通信可能に接続されている。係る通信手段は、特には、光通信デバイスを用いて構成された通信路であってもよい。以下、通信装置１１００の各構成要素について説明する。
【０１００】
測定部１１０１は、１以上の光信号が合波された波長多重信号を光通信路から受け付ける。そして、測定部１１０１は、当該波長多重信号のうち、第３の波長に関する信号レベルとノイズレベルとの少なくとも一方を測定する。係る測定部１１０１は、例えば、上記第１及び第２の実施形態における波長選択型光強度検出器１１３を用いて実現されてもよい。また、係る第３の波長は、上記第１及び第２の実施形態における測定対象波長であってもよい。
【０１０１】
第２の変換信号生成部１１０２は、上記波長多重信号から第４の波長の信号を選択して第３の波長に変換した光信号である復元信号を生成する。係る第２の変換信号生成部１１０２は、例えば、上記第１及び第２の実施形態における光カプラ１０７ｂと、迂回用光送受信機１０４ｂとを用いて実現されてもよい。また、係る第４の波長は、上記第１及び第２の実施形態における迂回用波長であってもよい。
【０１０２】
第２の信号選択部１１０３は、上記波長多重信号と、復元信号とを受け付け、それらに含まれる光信号の波長ごとに、波長多重信号に含まれる光信号と、復元信号との少なくともいずれかを選択する。第２の信号選択部１１０３は、例えば、上記波長多重信号のうち第４の波長の信号以外の信号と、上記復元信号（第３の波長に変換された信号）とを選択し、光分波部１１０４（後述）に出力してもよい。係る第２の信号選択部１１０３は、例えば、上記第１及び第２の実施形態における波長選択型スイッチ１０８ｂを用いて実現されてもよい。
【０１０３】
光分波部１１０４は、上記第２の信号選択部１１０３が選択した光信号を、当該光信号に含まれる信号の波長に基づいて分波する。係る光分波部１１０４は、上記第１及び第２の実施形態における、光分波器１１２を用いて実現されてもよい。
【０１０４】
上記のように構成された本実施形態における通信装置１１００は、例えば、第３の波長に信号が存在する場合にはその信号レベルを測定可能であり、第３の波長に信号が存在しない場合には、そのノイズレベルを測定可能である。即ち、本実施形態における通信装置１１００は、第３の波長に関するＯＳＮＲを測定可能である。
【０１０５】
例えば、第４の波長の信号が上記第１及び第２の実施形態における迂回用信号であり、第３の波長の信号が上記第１及び第２の実施形態における測定対象波長の信号であることを想定する。この場合、通信装置１１００は、光通信路から受信した波長多重信号のうち、迂回用波長（第４の波長）の信号を、測定対象波長（第３の波長）の信号に変換可能である。また、通信装置１１００は、波長多重信号に含まる迂回用波長以外の波長の信号と、上記変換された測定対象信号とを選択し、係る選択した信号を周波数ごとに分波して出力することが可能である。
【０１０６】
上記より、例えば、トラフィックの継続的な切断状態を避けるために、測定対象の波長の信号が迂回用波長の信号に変換して伝送された場合、通信装置１１００は、伝送された迂回用波長の信号を元の信号（測定対象波長の信号）に復元可能である。
【０１０７】
以上より、本実施形態における通信装置によれば、波長多重信号を用いた光通信システムにおいて、通信環境に与える影響を低減しながら、光信号対雑音比を測定可能である。
【０１０８】
なお、上記のように構成された本実施形態における通信装置１１００は、例えば、各第１及び第２の実施形態における、受信側通信システム１０２を実現することができる。
【０１０９】
＜第４の実施形態の変形例＞
上記第４の実施形態の変形例として、図１２に例示するように、通信装置１１００が光カプラ１２０１を備えてもよい。係る光カプラ１２０１は、光通信路から伝送された波長多重信号を、測定部１１０１と、第２の変換信号生成部１１０２と、第２の信号選択部１１０３とに、分配する。係る光カプラ１２０１は、例えば、上記第１及び第２の実施形態における光カプラ１０７ｂを用いて実現されてもよい。
【０１１０】
なお、本変形例におけるその他の構成は、上記第４の実施形態と同様としてよい。
【０１１１】
＜第５の実施形態＞
次に、本発明の第５の実施形態について説明する。図１３は、本実施形態における通信システム１３００の機能的な構成を例示するブロック図である。図１３に例示するように、通信システム１３００は、第１の通信装置１３０１と、第２の通信装置１３０２と、制御部（制御手段）１３０３とを備える。制御部１３０３と、第１の通信装置１３０１との間は、任意の通信手段により通信可能に接続されている。同様に、制御部１３０３と、第２の通信装置１３０２との間は、任意の通信手段により通信可能に接続されている。また、第１の通信装置１３０１と、第２の通信装置１３０２との間は、光通信路により通信可能に接続されている。
【０１１２】
第１の通信装置１３０１は、上記第３の実施形態における通信装置１０００と同様としてよい。
【０１１３】
第２の通信装置１３０２は、上記第４の実施形態における通信装置１１００と同様としてよい。
【０１１４】
制御部１３０３は、上記第１の波長と上記第２の波長との少なくとも一方、並びに、上記波長多重信号に含まれる信号と上記変換信号とから選択される信号を、第１の通信装置１３０１に通知する。制御部１３０３は、例えば、制御信号を用いて、上記通知を第１の通信装置１３０１に送信してもよい。
【０１１５】
更に、制御部１３０３は、上記第１の波長と等しい上記第３の波長と、上記第２の波長と等しい上記第４の波長との少なくとも一方を上記第２の通信装置に通知する。また、制御部１３０３は、上記光通信路から受信した上記波長多重信号に含まれる信号と上記復元信号とから選択される信号を上記第２の通信装置に通知する。
【０１１６】
更に、制御部１３０３は、上記第３の波長に信号が存在するタイミングにおいて、上記第２の通信装置における上記測定部に上記第３の波長に関するノイズレベルの測定を指示する。そして、制御部１３０３は、上記第３の波長に信号が存在しないタイミングにおいて、上記第２の通信装置における上記測定部に上記第３の波長に関する信号レベルの測定を指示する。
【０１１７】
係る制御部１３０３は、例えば、上記第１及び第２の実施形態における制御端末１１４と同様としてもよい。
【０１１８】
上記のように構成された通信システム１３００によれば、例えば、制御部１３０３からの通知に基づいて、各通信装置（１３０１、１３０２）における測定対象波長（第１及び第３の波長）と、迂回用波長（第２及び第４の波長）が設定される。同様に、制御部１３０３からの通知に基づいて、第１の通信装置１３０１が光通信路に送信する光信号に含まれる信号が選択される。また、制御部１３０３からの通知に基づいて、第２の通信装置１３０２において選択される信号が選択される。更に、第２の通信装置１３０２において、ＯＳＮＲの測定対象の波長に関するノイズレベルと、信号レベルとが測定される。
【０１１９】
以上より、本実施形態における通信システム１３００によれば、特定の波長（第１及び第３の波長）に関するＯＳＮＲを測定可能である。また、通信システム１３００によれば、ＯＳＮＲの測定対象である波長の信号が他の波長（第２及び第４の波長）の信号（迂回用信号）に変換され、第１の通信装置１３０１から第２の通信装置１３０２に伝送される。即ち、第１の通信装置１３０１及び第２の通信装置１３０２を用いることにより、測定対象波長の信号を迂回して伝送することが可能であることから、通信システム１３００は、測定対象の波長の信号に関する継続的なトラフィック断が発生することを防止することができる。これにより、例えば、測定対象の波長の信号に関する継続的なトラフィック断が発生することなく、測定対象の波長に関するＯＳＮＲが測定される。以上より、本実施形態における通信システムによれば、波長多重信号を用いた光通信システムにおいて、通信環境に与える影響を低減しながら、光信号対雑音比を測定可能である。
【０１２０】
なお、上記各実施形態における制御端末１１４及び制御部１３０３は、例えば、以下のようなハードウェア及びソフトウェア・プログラムを用いて実現されてもよい。以下の説明においては、上記各実施形態において説明した制御端末１１４及び制御部１３０３をまとめて、単に「制御部」と称する。
【０１２１】
上記各実施形態において説明した制御部は、１つ又は複数の専用のハードウェア装置（例えば、処理ロジックを実装した集積回路あるいは記憶デバイス等）を用いて実現されてもよい。
【０１２２】
例えば、制御部が専用のハードウェア装置により実現される場合、制御部の構成要素は、それぞれの機能を提供可能な集積回路（例えば、ＳｏＣ（Ｓｙｓｔｅｍ  ｏｎ  ａ  Ｃｈｉｐ）等）を用いて実装されてもよい。この場合、制御部の構成要素が保持するデータは、例えば、ＳｏＣとして統合されたＲＡＭ（Ｒａｎｄｏｍ  Ａｃｃｅｓｓ  Ｍｅｍｏｒｙ）領域やフラッシュメモリ領域、
また、上述した制御部は、図１４に例示するような汎用のハードウェアと、係るハードウェアによって実行される各種ソフトウェア・プログラム（コンピュータ・プログラム）とによって構成されてもよい。
【０１２３】
図８における演算装置１４０１は、汎用のＣＰＵ（中央処理装置：Ｃｅｎｔｒａｌ  Ｐｒｏｃｅｓｓｉｎｇ  Ｕｎｉｔ）やマイクロプロセッサ等の演算処理装置である。演算装置１４０１は、例えば後述する不揮発性記憶装置１４０３に記憶された各種ソフトウェア・プログラムを記憶装置１４０２に読み出し、係るソフトウェア・プログラムに従って処理を実行してもよい。例えば、上記各実施形態における制御部の構成要素は、演算装置１４０１により実行されるソフトウェア・プログラムとして実現されてもよい。
【０１２４】
記憶装置１４０２は、演算装置１４０１から参照可能な、ＲＡＭ等のメモリ装置であり、ソフトウェア・プログラムや各種データ等を記憶する。なお、記憶装置１４０２は、揮発性のメモリ装置であってもよい。
【０１２５】
不揮発性記憶装置１４０３は、例えば磁気ディスクドライブや、フラッシュメモリによる半導体記憶装置のような、不揮発性の記憶装置である。不揮発性記憶装置１４０３は、各種ソフトウェア・プログラムやデータ等を記憶可能である。
【０１２６】
ネットワークインタフェース１４０６は、通信ネットワークに接続するインタフェース装置であり、例えば有線及び無線の電気通信回線への接続用インタフェース装置や、光通信回線への接続用インタフェース装置等を採用してもよい。
【０１２７】
ドライブ装置１４０４は、例えば、後述する記憶媒体１４０５に対するデータの読み込みや書き込みを処理する装置である。
【０１２８】
記憶媒体１４０５は、例えば光ディスク、光磁気ディスク、半導体フラッシュメモリ等、データを記録可能な任意の記憶媒体である。
【０１２９】
上述した各実施形態を例に説明した本発明における制御部は、例えば、図８に例示するハードウェア装置に対して、上記各実施形態において説明した機能を実現可能なソフトウェア・プログラムを供給することにより、実現されてもよい。より具体的には、例えば、係る装置に対して供給したソフトウェア・プログラムを、演算装置１４０１が実行することによって、本発明が実現されてもよい。
【０１３０】
更に、上記ソフトウェア・プログラムは記憶媒体１４０５に記録されてもよい。この場合、上記ソフトウェア・プログラムは、上記制御部等の出荷段階、あるいは運用段階等において、適宜ドライブ装置１４０４を通じて不揮発性記憶装置１４０３に格納されるよう構成されてもよい。
【０１３１】
なお、上記の場合において、上記ハードウェアへの各種ソフトウェア・プログラムの供給方法は、出荷前の製造段階、あるいは出荷後のメンテナンス段階等において、適当な治具を利用して当該装置内にインストールする方法を採用してもよい。また、各種ソフトウェア・プログラムの供給方法は、インターネット等の通信回線を介して外部からダウンロードする方法等のように、現在では一般的な手順を採用してもよい。
【０１３２】
そして、このような場合において、本発明は、係るソフトウェア・プログラムを構成するコード、あるいは係るコードが記録されたところの、コンピュータ読み取り可能な記憶媒体によって構成されると捉えることができる。この場合、係る記憶媒体は、ハードウェア装置と独立した媒体に限らず、各種通信ネットワークにより伝送されたソフトウェア・プログラムをダウンロードして記憶又は一時記憶した記憶媒体を含む。
【０１３３】
以上、本発明を、上述した模範的な実施形態に適用した例として説明した。しかしながら、本発明の技術的範囲は、上述した各実施形態に記載した範囲には限定されない。当業者には、係る実施形態に対して多様な変更又は改良を加えることが可能であることは明らかである。そのような場合、係る変更又は改良を加えた新たな実施形態も、本発明の技術的範囲に含まれ得る。更に、上述した各実施形態、あるいは、係る変更又は改良を加えた新たな実施形態を組み合わせた実施形態も、本発明の技術的範囲に含まれ得る。そしてこのことは、請求の範囲に記載した事項から明らかである。
【０１３４】
この出願は、２０１５年６月３０日に出願された日本出願特願２０１５−１３０８０３を基礎とする優先権を主張し、その開示の全てをここに取り込む。
【符号の説明】
【０１３５】
１０１  送信側通信システム
１０２  受信側通信システム
１０３  光送受信機
１０４  迂回用光送受信機
１０５  光合分波装置
１０６  光合波器
１０７  光カプラ
１０８  波長選択型スイッチ
１０９  光伝送ファイバ
１１０  光増幅器
１１１  光合分波装置
１１２  光分波器
１１３  波長選択型光強度検出器
１１４  制御端末
７０１  光合分波装置
７０２  波長可変光源
７０３  光カプラ
１０００  通信装置
１００１  光合波部
１００２  第１の変換信号生成部
１００３  第１の信号選択部
１１００  通信装置
１１０１  測定部
１１０２  第２の変換信号生成部
１１０３  第２の信号選択部
１１０４  光分波部
１２０１  光カプラ
１３００  通信システム
１３０１  第１の通信装置
１３０２  第２の通信装置
１３０３  制御部
１４０１  演算装置
１４０２  記憶装置
１４０３  不揮発性記憶装置
１４０４  ドライブ装置
１４０５  記憶媒体
１４０６  ネットワークインタフェース
【図１】
2017002322.tif 000003
【図２】
2017002322.tif 000004
【図３】
2017002322.tif 000005
【図４】
2017002322.tif 000006
【図５】
2017002322.tif 000007
【図６】
2017002322.tif 000008
【図７】
2017002322.tif 000009
【図８】
2017002322.tif 000010
【図９】
2017002322.tif 000011
【図１０】
2017002322.tif 000012
【図１１】
2017002322.tif 000013
【図１２】
2017002322.tif 000014
【図１３】
2017002322.tif 000015
【図１４】
2017002322.tif 000016
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
データを搬送可能な１以上の光信号を受け付け、それらを合波した光信号である波長多重信号を生成する光合波手段と、
前記光合波手段において生成された前記波長多重信号から第１の波長の信号を選択して第２の波長の信号に変換した光信号である変換信号を生成する第１の変換信号生成手段と、
生成された前記波長多重信号と、前記変換信号とを受け付け、それらに含まれる信号の波長ごとに、前記波長多重信号に含まれる信号と、前記変換信号との少なくともいずれかを選択して出力する第１の信号選択手段と、を備える
通信装置。
【請求項２】
前記第１の信号選択手段は、前記波長多重信号のうちの前記第１の波長の信号を除く信号と、前記変換信号とを選択して出力する
請求項１に記載の通信装置。
【請求項３】
前記第１の変換信号生成手段は、前記第１の波長の信号を、前記波長多重信号の波長帯に含まれない波長である前記第２の波長の信号に変換することにより、前記変換信号を生成する
請求項１又は請求項２に記載の通信装置。
【請求項４】
ある波長の光信号を生成可能な波長可変光源と、
前記第１の信号選択手段において選択された前記波長多重信号と、前記波長可変光源から出力される光信号とを合波可能な光カプラと、を更に備え、
前記波長多重信号に、搬送するデータが変調されていない特定の波長が含まれる場合、
前記波長可変光源は、当該特定の波長と同じ波長の信号を生成し、
前記第１の信号選択手段は、前記第１の信号選択手段において選択された前記波長多重信号と、前記波長可変光源が生成した特定の波長の信号とを選択して出力する、
請求項１乃至請求項３のいずれか一項に記載の通信装置。
【請求項５】
１以上の光信号が合波された波長多重信号を光通信路から受け付け、当該波長多重信号のうち、第３の波長の信号に関する信号レベルと、ノイズレベルとの少なくとも一方を測定可能な測定手段と、
前記波長多重信号から第４の波長の信号を選択して前記第３の波長に変換した光信号である復元信号を生成する第２の変換信号生成手段と、
前記波長多重信号と、前記復元信号とを受け付け、それらに含まれる光信号の波長ごとに、前記波長多重信号に含まれる光信号と、前記復元信号との少なくともいずれかを選択する第２の信号選択手段と、
前記第２の信号選択手段が選択した光信号を、当該光信号に含まれる信号の波長に基づいて分波する光分波手段と、を備える
通信装置。
【請求項６】
前記第２の信号選択手段は、前記波長多重信号のうちの前記第４の波長の信号を除く信号と、前記復元とを選択する
請求項５に記載の通信装置。
【請求項７】
前記測定手段は、
前記第３の波長に信号が存在しないタイミングにおいて、当該第３の波長の信号に関するノイズレベルを測定し、
前記第３の波長に信号が存在するタイミングにおいて、当該第３の波長に関する信号レベルを測定する
請求項５又は請求項６に記載の通信装置。
【請求項８】
請求項１乃至請求項４のいずれか一項に記載の通信装置である第１の通信装置と、
請求項５乃至請求項７のいずれか一項に記載の通信装置である第２の通信装置と、
前記第１及び第２の通信装置と通信可能に接続され、
前記第１の波長と前記第２の波長との少なくとも一方、並びに、前記波長多重信号に含まれる信号と前記変換信号とから選択される信号を前記第１の通信装置に通知し、
前記第１の波長と等しい前記第３の波長と、前記第２の波長と等しい前記第４の波長との少なくとも一方、並びに、前記光通信路から受信した前記波長多重信号に含まれる信号と前記復元信号とから選択される信号を前記第２の通信装置に通知し、
前記第３の波長に信号が存在しないタイミングにおいて、前記第２の通信装置における前記測定手段に前記第３の波長に関するノイズレベルの測定を指示し、
前記第３の波長に信号が存在するタイミングにおいて、前記第２の通信装置における前記測定手段に前記第３の波長に関する信号レベルの測定を指示する、
制御手段と、を備える
通信システム。
【請求項９】
１以上の光信号を受け付け、それらを合波した光信号である波長多重信号を生成し、
前記生成された前記波長多重信号から第１の波長の信号を選択して第２の波長の信号に変換した光信号である変換信号を生成し、
生成された前記波長多重信号と、前記変換信号と含まれる信号の波長ごとに、前記波長多重信号に含まれる信号と、前記変換信号との少なくともいずれかを選択して出力する
通信方法。
【請求項１０】
１以上の光信号が合波された波長多重信号を光通信路から受け付け、当該波長多重信号のうち、第３の波長の信号に関する信号レベルと、ノイズレベルとの少なくとも一方を測定し、
前記波長多重信号から第４の波長の信号を選択して前記第３の波長に変換した光信号である復元信号を生成し、
前記波長多重信号と、前記復元信号とに含まれる光信号の波長ごとに、前記波長多重信号に含まれる光信号と、前記復元信号との少なくともいずれかを選択するとともに、当該選択した光信号を、当該光信号に含まれる信号の波長に基づいて分波する
通信方法。
【国際調査報告】
2017002322.tif 000017
2017002322.tif 000018
2017002322.tif 000019
2017002322.tif 000020